(57)【特許請求の範囲】
【請求項１】
軸方向に平行な平面部を周面の一部に有する軸と、この軸に回動自在に挿通する第１の挿通孔を有しこの第１の挿通孔の近傍にストッパ部を有する灯具と、前記軸に回動可能に挿通される第２の挿通孔を有し前記平面部に回転により係止する突起を前記第２の挿通孔の縁部に有しかつ前記灯具の回転により前記ストッパ部が係止する突片を有する回転止め部材とを備えた灯具回転機構。
【請求項２】
各々軸方向に平行で周方向にある角をもって連続する一対の平面部を周面の一部に有する断面略円形の軸と、この軸に回動自在に挿通する第１の挿通孔を有しこの第１の挿通孔の近傍にストッパ部を有する灯具と、前記軸に回動可能に挿通される第２の挿通孔を有し前記一対の平面部の一方に回転により係止する非円弧部を前記第２の挿通孔の縁部に形成しかつ前記灯具の回転により前記ストッパ部が係止する突片を有する回転止め部材とを備えた灯具回転機構。
【発明の詳細な説明】
【０００１】
【発明の属する技術分野】
この発明は、灯具回転機構に関するものである。
【０００２】
【従来の技術】
一般的に灯具に対してストッパ部を設けた場合、ストッパ部に幅があるので灯具を回転させたときストッパ部の幅の部分だけ死角となり、灯具を３６０度回転させることができない。
従来、ストッパ部を有し、かつ灯具を３６０度回転させるものとして、図５に示すような灯具回転機構があった。すなわち、７０は灯具本体、７１は灯具本体７０に設けた突起、７２は突起７１が当たる突片７３を突設した回転可能な回転止め部材、７４は回転止め部材７３に形成した切欠、７７は切欠７４に配置したストッパである。
【０００３】
いま、灯具本体７０が図５（ａ）の状態から矢印の方向に３６０度近く回転すると、突起７１が突片７３の図５（ａ）の反対側に当たり、かつ回転止め部材７２を回動させ、図５（ｂ）の状態になる。このとき回転止め部材７２の切欠７４が回動しストッパ７７が切欠７４の一端７５から他端７６に係止し回転部材７２を回転止めする。この結果、切欠幅Ｌに相当する分だけ回転止め部材７２が回転する分多く灯具本体７０が回転でき、灯具本体７０が３６０度以上回転できることとなる。
【０００４】
【発明が解決しようとする課題】
しかし、この灯具回転機構は、構造が複雑であるという欠点があった。
したがって、この発明の目的は、３６０度以上回転することが可能でしかも構成を簡単にすることができる灯具回転機構を提供することである。
【０００５】
【課題を解決するための手段】
請求項１の灯具回転機構は、軸方向に平行な平面部を周面の一部に有する軸と、この軸に回動自在に挿通する第１の挿通孔を有しこの第１の挿通孔の近傍にストッパ部を有する灯具と、前記軸に回動可能に挿通される第２の挿通孔を有し前記平面部に回転により係止する突起を前記第２の挿通孔の縁部に有しかつ前記灯具の回転により前記ストッパ部が係止する突片を有する回転止め部材とを備えたものである。
【０００６】
請求項１の灯具回転機構によれば、灯具を軸に対して灯具を一方向に回転すると、灯具のストッパ部が回転止め部材の突片に当たり回転止め部材が回転して回転止め部材の突起が軸の平面部の側部の一方に当たり灯具の回転が規制される。灯具を反対向きに回転すると、ほぼ３６０度近くで再び突片に当たりこのため回転止め部材が灯具と同方向に回転して突起が平面部の側部の他方に当たり灯具の回転が規制される。この結果、回転止め部材の突起が平面部の側部の一方から他方に当たる回転角度分灯具が余分に回転でき、３６０度以上の回転が可能となる。しかも、従来よりも構成を簡単にでき、従来の挿通孔とストッパ部を有する灯具にも適用することができる。
【０００７】
請求項２の灯具回転機構は、各々軸方向に平行で周方向にある角をもって連続する一対の平面部を周面の一部に有する断面略円形の軸と、この軸に回動自在に挿通する第１の挿通孔を有しこの第１の挿通孔の近傍にストッパ部を有する灯具と、前記軸に回動可能に挿通される第２の挿通孔を有し前記一対の平面部の一方に回転により係止する非円弧部を前記第２の挿通孔の縁部に形成しかつ前記灯具の回転により前記ストッパ部が係止する突片を有する回転止め部材とを備えたものである。
【０００８】
請求項２の灯具回転機構によれば、灯具を回転した際に回転止め部材の第２の挿通孔の非円弧部が軸の一対の平面部の一方から他方に当たるまで回転できるので、灯具を３６０度以上回転することができ、しかも従来例よりも構成が簡単で従来の灯具にも適用することができる。
【０００９】
【発明の実施の形態】
この発明の第１の実施の形態を適用したスタンド型照明器具を図１ないし図により説明する。すなわち、この灯具回転機構は、軸１と、灯具２と、回転止め部材３とを有する。
軸１は軸方向に平行な平面部６を周面の一部に有する。実施の形態の軸１は断面が円弧部分と直線部分からなる断面略Ｄ形の筒状であり、円弧部分に雄ねじを形成してあり、図３に示すように筒状の支柱４の上端の灯具受け部７に支柱４と連通するように立設されている。支柱４の下端部は台１７に取付けられ、台１７のブッシング１６を通して電線１５が支柱４内に挿通され、軸１より外部に出てている。
【００１０】
灯具２は、軸１に回動自在に挿通する第１の挿通孔８を有し、この第１の挿通孔８の近傍にストッパ部９を有する。実施の形態の灯具２は、支柱４の灯具受け部７に支持される水平部５と反射板を兼ねた垂直部２２とを有する灯具本体２３と、垂直部２２に取付けられ電線１５に接続されたランプ２０を装着したランプソケット１９と、灯具本体２３に取付けられた透光カバー１８とを有する。第１の挿通孔８は水平部５に形成され、ストッパ部９も水平部５に切起こしにより形成されている。
【００１１】
回転止め部材３は、軸１に回動可能に挿通される第２の挿通孔１１を有し、軸１の平面部６の側部に回転により係止する突起１２を第２の挿通孔１１の縁部に有し、かつ灯具２の回転によりストッパ部９が係止する突片１０を有する。実施の形態では打ち抜きにより円板形に形成したワッシャであり、灯具２の水平部５に重ねている。また回転止め部材３の外径を第１の挿通孔８の中心からストッパ部９までの距離よりも短く形成するとともに突片１０を周縁部より外方に突出し、突起１２は頂部が鈍角の山形であり、その両傾斜部の一方が回転止め部材３の回転により平面部６に当接する。
【００１２】
組立ては、水平部５の第１の挿通孔８を軸１に挿通して水平部５を灯具受け部７に支持し、つぎに軸１に回転止め部材３の第２の挿通孔８を挿通し、その状態でナット１３を軸１の雄ねじに螺合し、灯具２および回転止め部材３を回動可能に締付け固定している。
この灯具回転機構は、灯具２を軸１に対して灯具を一方向に回転すると、図２（ａ）に示すように灯具２のストッパ部９が回転止め部材３の突片１０に当たり、回転止め部材３が回転して回転止め部材３の突起１２が軸１の平面部６の側部の一方に当たり灯具２の回転が規制される。灯具２を反対向きに回転すると、図２（ｂ）に示すようにほぼ３６０度近くで再びストッパ部９が突片１０に当たりこのため回転止め部材３が灯具２と同方向に回転して突起１２が平面部６の側部の他方に当たり灯具２の回転が規制される。
【００１３】
この結果、回転止め部材３の突起１２が平面部６の側部の一方から他方に当たる回転角度分灯具２が余分に回転でき、３６０度以上の回転が可能となる。しかも、従来よりも構成を簡単にでき、従来の挿通孔とストッパ部を有する灯具にも適用することができる。
この発明の第２の実施の形態を図４に示す。すなわち、この灯具回転機構は、軸１が断面略円形で、各々軸方向に平行で周方向にある角をもって連続する一対の平面部６ａ，６ｂを周面の一部に有するもので、実施の形態においては平面部６ａ，６ｂが鈍角で連続し、支柱４は第１の実施の形態と同様である。
【００１４】
灯具２は、第１の実施の形態と同様であり、軸１に回動自在に挿通する第１の挿通孔８を有しこの第１の挿通孔８の近傍にストッパ部９を有するものである。回転止め部材３は、軸１に回動可能に挿通される第２の挿通孔１１を有し、一対の平面部６ａ，６ｂの一方に回転により係止する非円弧部１１ａを第２の挿通孔１１の縁部に形成し、かつ灯具２の回転によりストッパ部９が係止する突片１０を有するものである。実施の形態において非円弧部１１ａは直線状に形成している。また第１の実施の形態と同様に円板形に打ち抜きにより形成している。
【００１５】
この実施の形態は、灯具２を回転した際に回転止め部材３の第２の挿通孔１１の非円弧部１１ａが軸１の一対の平面部６ａ，６ｂの一方から他方に当たるまで回転できるので、灯具２を３６０度以上回転することができ、しかも従来例よりも構成が簡単で従来の灯具にも適用することができる。
【００１６】
【発明の効果】
請求項１の灯具回転機構によれば、灯具を軸に対して灯具を一方向に回転すると、灯具のストッパ部が回転止め部材の突片に当たり回転止め部材が回転して回転止め部材の突起が軸の平面部の側部の一方に当たり灯具の回転が規制される。灯具を反対向きに回転すると、ほぼ３６０度近くで再び突片に当たりこのため回転止め部材が灯具と同方向に回転して突起が平面部の側部の他方に当たり灯具の回転が規制される。この結果、回転止め部材の突起が平面部の側部の一方から他方に当たる回転角度分灯具が余分に回転でき、３６０度以上の回転が可能となる。しかも、従来よりも構成を簡単にでき、従来の挿通孔とストッパ部を有する灯具にも適用することができる。
【００１７】
請求項２の灯具回転機構によれば、灯具を回転した際に回転止め部材の第２の挿通孔の非円弧部が軸の一対の平面部の一方から他方に当たるまで回転できるので、灯具を３６０度以上回転することができ、しかも従来例よりも構成が簡単で従来の灯具にも適用することができる。
【図面の簡単な説明】
【図１】この発明の第１の実施の形態の要部分解斜視図である。
【図２】回転動作状態を説明する説明図である。
【図３】この灯具回転機構を適用したスタンド型照明器具の一部破断側面図である。
【図４】第２の実施の形態の動作状態の説明図である。
【図５】従来例の動作状態の説明図である。
【符号の説明】
１    軸
２    灯具
３    回転止め部材
６    平面部
６ａ，６ｂ    平面部
８    第１の挿通孔
９    ストッパ部
１０    突片
１１    第２の挿通孔
１１ａ    非円弧部
１２    突起
【図１】
0003771653.tif 000002
【図２】
0003771653.tif 000003
【図３】
0003771653.tif 000004
【図４】
0003771653.tif 000005
【図５】
0003771653.tif 000006